(57)【要約】【課題】  従来、ＰＣやサーバ等に内臓、あるいは外付けされるＨＤＤにおいては、そのデータ領域が不足した場合、新たにＨＤＤを購入する必要がある。この場合、特に内臓タイプにおいては増設できるスペースに限りがあるため容易に追加することは困難になるデメリットがあげられる。また、外付けの場合においても、電源確保が必要となるなど不便性が生じる。【解決手段】  こうした問題を解決するため、データ領域が不足した場合、ベンダーから認証キーを購入し、これをＨＤＤにダウンロードすることでＲＯＭに収められた暗号キーと照合する。照合が正しく行われた場合に、それまでアクセスが許されていなかった磁気記録媒体データ領域へのアクセスが許可されることによって自動的にＨＤＤの容量を拡張できるようにする。【選択図】      図１
2005202574.tif 000002
【特許請求の範囲】
【請求項１】
ベンダーが有償で提供する認証キーをユーザーのＨＤＤにダウンロードする手段と、
ダウンロードした認証キーとＨＤＤ内のＲＯＭに収められた暗号キーを照合する手段と、
照合結果が正しければ未使用の記録媒体領域へのデータの書き込み／読み込みを許可する手段と、を備えたことを特徴とするコンピュータシステム。
【発明の詳細な説明】
【技術分野】
【０００１】
本発明はＨＤＤを用いるコンピュータシステムに関し、特にユーザーが認証キーを登録することでＨＤＤのデータ容量を追加することを可能にするコンピュータシステムに関する。
【背景技術】
【０００２】
従来のＨＤＤシステムは、ホスト側とデジタルデータを送受信するインターフェース手段と、デジタルデータをアナログ信号に変換し記録媒体上の任意の場所に記録する手段、記録媒体上の任意の場所に記録されたアナログ信号を読み取りデジタルデータに変換する手段とから構成されている。
【０００３】
このような構成を有する従来のＨＤＤシステムはつぎのように動作する。
【０００４】
すなわち、ホスト側からＨＤＤにデジタルデータが送られると、ＨＤＤのインターフェースはこのデータを受け取った後に記録媒体上の記録すべき場所を判断すると同時にデジタルデータをアナログ信号に変換し磁気ヘッドを介してアナログ信号を記録媒体上に書き込む。また、ホストからデジタルデータの要求が送られるとＨＤＤのインターフェースはこのデータを受け取った後に記録媒体上の読み出すべき場所を判断すると同時に磁気ヘッドをその位置に移動させる。そして記録媒体上からアナログ信号を読みとった後にデジタルデータに変換し、インターフェースを介してホストにこれを送る。
【０００５】
【特許文献１】特開２００３−１８６６２５号公報
【発明の開示】
【発明が解決しようとする課題】
【０００６】
第１の問題点は、デジタルデータからアナログ信号に変換され記録媒体上に書き込まれた情報が記録媒体の容量を越える場合、新たな情報を追加するためには既に書き込まれた情報に上書きするか、もしくは新たなＨＤＤシステムを購入し、これに情報を記録する必要があるということである。
その理由は、ＨＤＤシステムの特徴として、ユーザーが情報の記録容量を増加させるために新たな記録媒体の追加や磁気ヘッドを追加することはＨＤＤシステムの構造上の制約から困難であるためである。
【０００７】
本発明の目的は、デジタルデータからアナログ信号に変換され記録媒体上に書き込まれた情報が記録媒体の容量を越える場合でも新たな情報追加を可能にするため、ベンダーが提供する認証キーをＨＤＤシステムに登録することにより新たにＨＤＤシステムを追加するよりも安価に記録容量を追加できるＨＤＤシステムを提供することにある。
【課題を解決するための手段】
【０００８】
本願発明のコンピュータシステムは、ベンダーが有償で提供する認証キーをユーザーのＨＤＤにダウンロードする手段と、ダウンロードした認証キーとＨＤＤ内のＲＯＭに収められた暗号キーを照合する手段と、照合結果が正しければ未使用の記録媒体領域へのデータの書き込み／読み込みを許可する手段と、を備えたことを特徴とする。
【０００９】
即ち、本願発明のＨＤＤシステムは、ベンダーが提供する認証キーをユーザーが有するＨＤＤシステムに登録する手段と、登録したキーがＨＤＤシステムにとって有効なものである場合、あらかじめ余裕をもたせて準備された未使用の記憶媒体領域への情報の書き込み／読み込みを可能にする手段とを備え、ＨＤＤシステムの未使用の記憶領域が追加されるよう動作する。このような構成を採用し、ベンダーが提供する認証キーの価格を追加する記憶領域と同量の新たなＨＤＤシステムを購入するより安く、かつあらかじめ余裕をもたせて準備された未使用の記憶媒体領域に相当する部品の価格、取り付けに要するコストより高く設定することにより本発明の目的を達成することができる。
【発明の効果】
【００１０】
本発明の効果は、ユーザーは新たにＨＤＤシステムを追加するのに比較して安価に必要に十分な未使用の記憶領域を既存のＨＤＤシステムに追加できることにある。
【００１１】
その理由は、ベンダーが新たにＨＤＤシステムを追加するのに比較して安価に購入可能な認証キーを提供し、これをＨＤＤシステムに登録することであらかじめ余裕をもたせて準備された未使用の記憶媒体領域への情報の書き込み／読み込みを可能にするためである。
【発明を実施するための最良の形態】
【００１２】
発明を実施するための最良の形態を説明する。
【実施例１】
【００１３】
本発明の実施例について詳細に説明する。
【００１４】
図１を参照すると、本発明の第１の実施の形態は、Ｉ／Ｏインターフェース１０と、Ｒ／Ｗチャネル２０と、ＭＰＵ３０と、磁気ヘッド４０と、磁気ディスク媒体５０と、ＲＯＭ６０とから構成されている。これらで構成されるＨＤＤシステム７０はＩＤＥもしくはＳＣＳＩネットワーク８０を介してホスト９０に接続されている。
【００１５】
磁気ディスク媒体５０は、ユーザーがＨＤＤシステム７０を購入した際において全体の１／ｎの領域にのみ磁気ヘッド４０がアクセスしデータの書き込み／読み込みが許される。この際、ｎの値はベンダーにより自由に設定される。ＲＯＭ６０には暗号化された認証キー１００を解読するための鍵１１０が収められる。
【００１６】
ユーザーが磁気ディスク媒体５０の１／ｎの領域を使い尽くし、新たに記憶容量を追加する必要が生じた場合、ＨＤＤシステム７０のベンダーが有償で提供する認証キー１００をインターネット等のネットワーク１4０を介してベンダーのホスト１２０からダウンロードし、さらにはＩＤＥもしくはＳＣＳＩネットワーク８０を介してＨＤＤシステム７０のＲ／Ｗチャネル２０に送られる。その後、認証キー１００は磁気ディスク媒体５０の特定領域に記録された後、電源リセットが行われる。ＨＤＤシステム７０の起動時においては、磁気ヘッド４０は特定領域に記録された認証キー１００を読み取りに行く。読み取られた認証キー１００がＲＯＭ６０に収められた鍵１１０によって暗号化が解かれると、これまでデータの書き込み／読み込みが許されていなかった磁気ディスク媒体５０の（ｎ−１）／（ｎ＋ｍ）の領域が使用可能となる。この際、ｍの値は０以上に自由に設定される。
【００１７】
次に、図１および図２を参照して本実施の形態の全体の動作について詳細に説明する。
まず、ＨＤＤシステム７０のユーザーは、ホスト９０より、ＨＤＤシステム７０のベンダーがホスト１２０に開設するホームページにアクセスし、メニューから拡大を希望するデータ容量に対応した認証キー１００のダウンロードを申し込み、その代金を支払うと(ステップＡ１)、これに応答して、ホスト１２０は、認証キー１００をユーザーのホスト９０に送信する(ステップＡ２)。
【００１８】
ユーザーのホスト９０にダウンロードされた認証キー１００をユーザーはHDDシステム７０のベンダーが提供する認証キーダウンロードアプリケーション１３０の指示に従って容量を拡張するＨＤＤシステム７０に、ＩＤＥもしくはＳＣＳＩネットワーク８０を介して転送する (ステップＡ３)。
【００１９】
認証キーダウンロードアプリケーション１３０はＨＤＤシステム７０に対して、ＨＤＤシステム７０起動時に必ず磁気ヘッド４０がデータをリードする磁気ディスク媒体５０の指定領域に、転送された認証キー１００を磁気ヘッド４０を介して書き込むよう指示し、実行される (ステップＡ４)。
【００２０】
次に認証キーダウンロードアプリケーション１３０はＨＤＤシステム７０に電源リセットを実行させ、起動時に磁気ヘッド４０は磁気ディスク５０の特定領域に記録された認証キー１００を読み取り、Ｒ／Ｗチャネル２０を介して認証キー１００はデジタルデータに変換される（ステップＡ５）。
【００２１】
ＭＰＵ３０は工場出荷時にＲＯＭ６０に書き込まれた鍵１１０を使って認証キー１００の暗号を解く（ステップＡ６）。解読された認証キー１００には拡大できるデータ容量についての情報が収められる。具体的には、磁気ディスク媒体５０においてデータの書き込み／読み込みが全体の１／２のみ許されているＨＤＤシステム７０において、解読された認証キー１００にｍ＝３が収められていたとすると、（ｎ−１）/（ｎ＋ｍ）  ：ここでｎ＝２、ｍ＝３すなわち磁気ディスク媒体５０全体の１／５の領域へのデータ書き込み／読み込みが拡大してユーザーに許されることになる。以降、拡大した磁気ディスク媒体５０の領域へのデータ書き込み／読み込みが実行される（ステップＡ７）
以上のように、ユーザーはいつでもＨＤＤシステムの利用可能な容量を、新たに別のＨＤＤシステムを購入すること無しに、それと同等の容量を、別のＨＤＤシステムを購入するに比べて安い料金で増加させることを可能にするという効果がある。
【産業上の利用可能性】
【００２２】
本発明によれば、様々なデータを蓄積する磁気記録システムといった用途に適用できる。
【図面の簡単な説明】
【００２３】
【図１】第１の発明を実施するための最良の形態の動作の具体例を示す図である。
【図２】本発明の第１の発明を実施するための最良の形態の構成を示すブロック図である。
【符号の説明】
【００２４】
１０  Ｉ／Ｏインターフェース
２０  Ｒ／Ｗチャネル
３０  ＭＰＵ
４０  磁気ヘッド
５０  磁気ディスク媒体
６０  ＲＯＭ
７０  ＨＤＤシステム
８０  ＳＣＳＩもしくはＩＤＥネットワーク
９０  ホスト端末
１００  認証キー
１１０  鍵
１２０  ベンダーホスト端末
１３０  認証キーダウンロードアプリケーション
１４０  インターネット等のネットワーク
【図１】
2005202574.tif 000003
【図２】
2005202574.tif 000004